(57)【要約】【課題】シャンプーやコンディショナーなどの粘稠液剤を充填した可撓性袋容器から、ポンプを使って注出するタイプの容器であって、液の流路を確保し、内溶液の残量を少なくすることができるディスペンサー装置を開発すること。【解決手段】 ポンプ装置、可撓性袋状容器と外容器から構成され、外容器の内部に可撓性袋状容器を収容し、ポンプ装置を外容器と可撓性袋状容器に連結することができるディスペンサー装置であって、可撓性袋状容器は、少なくとも左右の縁がシールされたパウチ容器であって、シール部分も含む左右の巾が外容器の内径寸法よりも大きく形成されており、ポンプ装置は、外部から吸気しない構造を有する排出一方向ポンプ機構であること、を特徴とするディスペンサー装置。【選択図】図１
2017145011.tif 000002
【特許請求の範囲】
【請求項１】
ポンプ装置、可撓性袋状容器と外容器から構成され、外容器の内部に可撓性袋状容器を収容し、ポンプ装置を外容器と可撓性袋状容器に連結することができるディスペンサー装置であって、
可撓性袋状容器は、少なくとも左右の縁がシールされたパウチ容器であって、シール部分も含む左右の巾が外容器の内径寸法よりも大きく形成されており、
ポンプ装置は、外部から吸気しない構造を有する排出一方向ポンプ機構であること、
を特徴とするディスペンサー装置。
【請求項２】
可撓性袋状容器は、プラスチックフィルムをヒートシールして袋状に形成された本体と、該本体の開口部に固着されたスパウトを備えており、
スパウトには、雄ネジ部が形成されており、
外容器は、容器本体と該容器本体の上部に装着される蓋体を備え、蓋体には中央に開口が形成されており、
蓋体の中央の開口を通して、上方に延出した可撓性袋状容器のスパウトとポンプ装置が螺合できる関係に形成されていること、
を特徴とする請求項１記載のディスペンサー装置。
【請求項３】
スパウトには、雄ネジが設けられるとともに基端側に台座となるリング部が形成されており、外容器の蓋体の下面に該リングが当接し、ポンプ装置のキャップ下端が蓋体上面に当接した状態で、ポンプ装置と可撓性袋状容器と外容器が結合されることを特徴とする請求項１又は２記載のディスペンサー装置。
【請求項４】
外容器の蓋の中央の開口に螺着する雌ネジが形成されていることを特徴とする請求項１〜３のいずれかに記載のディスペンサー装置。
【請求項５】
可撓性袋状容器がパウチであることを特徴とする請求項１〜４のいずれかに記載のディスペンサー装置。
【請求項６】
液状化粧料、液状シャンプー、液状コンディショナー又は液状クレンジング用容器であるであることを特徴とする請求項１〜５のいずれかに記載のディスペンサー装置。
【発明の詳細な説明】
【技術分野】
【０００１】
本発明は、ポンプ付きディスペンサー容器に関する。
【背景技術】
【０００２】
液体洗剤、化粧品、調味料等に用いられる容器として、合成樹脂製のボトルに内容物を収納し、口部にトリガー式やポンプ式の吐出手段を装着した吐出容器が使用されている。このような容器は一般に使い捨てられることが多いが、近年、容器に使用する樹脂量低減など省資源の観点から、また内容物を充填する前の容器の運搬や保管の問題から、あるいは内容物を使い切った後の容器処理を簡便にする等廃棄物問題の観点から、内溶液を可撓性のある袋状容器に収納し、この袋状容器にポンプなどの吐出手段を取り付けた容器が実用化されている。
パウチ容器にポンプを取り付けて吸い出すと、注出管の下方でフィルムが密着してしまい注出できずに、図７に示すように残量が残ってしまう現象が発生する。
容器内の内溶液を全て取り出す手段として、ディップチューブをポンプ等の吐出手段の下端から容器の底部に向けて設け、内溶液の量が少なくなってもこの注出管を通路として、容器底部に残る内溶液を吸い上げ吐出できるようになっている。
また、可撓性の袋に内溶液を収納する場合に、ディップチューブの代わりに間隙保持部材を用いることによって、内容物が減って袋が収縮し袋の内面同士が密着しても、袋の底部とポンプの吸引口とを結ぶ通路が残るようにすることが提案されている。
本出願人も容器の改良に取り組んでいる。
【０００３】
例えば、特許文献１（特開２０１１−６８３８８号公報）では、外部から吸気しない構造を有する排出ポンプを備えたポンプディスペンサーと流動物収納部である可撓性袋を備えたポンプディスペンサー付き可撓性袋状容器であって、可撓性袋の内面にリブ部材を貼付したものであって、該リブ部材の上端はポンプの吸い込み口に臨んでいるポンプディスペンサー付き可撓性袋状容器を開発し、注出中途で袋の内面が密着して注出阻害を起こさない容器を提案した。
また、特許文献２（特許第４２５００３７号公報）では、交換用カートリッジ容器を減容化する容器を提案した。
その他、特許文献３（特開２０１２−２４５９９３号公報）には、ポンプの吸引管に上下方向に複数の吸引口を設け、上方から吸引することによって、可撓性袋の下部まで注出できるようにした吸引式液体注出ポンプ装置が開示されている。
特許文献４（特開２００４−１６１２８７号公報）には、交換用パウチ容器を外容器に収納するタイプのディスペンサー容器が開示されている。
【先行技術文献】
【特許文献】
【０００４】
【特許文献１】特開２０１１−６８３８８号公報
【特許文献２】特許第４２５００３７号公報
【特許文献３】特開２０１２−２４５９９３号公報
【特許文献４】特開２００４−１６１２８７号公報
【発明の概要】
【発明が解決しようとする課題】
【０００５】
本発明は、シャンプーやコンディショナーなどの粘稠液剤を充填した可撓性袋容器から、ポンプを使って注出するタイプの容器であって、液の流路を確保し、内溶液の残量を少なくすることができるディスペンサー装置を開発することを目的とする。
【課題を解決するための手段】
【０００６】
すなわち、本発明の主な構成は、次のとおりである。
１．ポンプ装置、可撓性袋状容器と外容器から構成され、外容器の内部に可撓性袋状容器を収容し、ポンプ装置を外容器と可撓性袋状容器に連結することができるディスペンサー装置であって、
可撓性袋状容器は、少なくとも左右の縁がシールされたパウチ容器であって、シール部分も含む左右の巾が外容器の内径寸法よりも大きく形成されており、
ポンプ装置は、外部から吸気しない構造を有する排出一方向ポンプ機構であること、
を特徴とするディスペンサー装置。
２．可撓性袋状容器は、プラスチックフィルムをヒートシールして袋状に形成された本体と、該本体の開口部に固着されたスパウトを備えており、
スパウトには、雄ネジ部が形成されており、
外容器は、容器本体と該容器本体の上部に装着される蓋体を備え、蓋体には中央に開口が形成されており、
蓋体の中央の開口を通して上方に延出した可撓性袋状容器のスパウトとポンプ装置が螺合できる関係に形成されていること、
を特徴とする１記載のディスペンサー装置。
３．スパウトには、雄ネジが設けられるとともに基端側に台座となるリング部が形成されており、外容器の蓋体の下面に該リングが当接し、ポンプ装置のキャップ下端が蓋体上面に当接した状態で、ポンプ装置と可撓性袋状容器と外容器が結合されることを特徴とする１又は２記載のディスペンサー装置。
４．外容器の蓋の中央の開口に螺着する雌ネジが形成されていることを特徴とする１〜３のいずれかに記載のディスペンサー装置。
５．可撓性袋状容器がパウチであることを特徴とする１〜４のいずれかに記載のディスペンサー装置。
６．液状化粧料、液状シャンプー、液状コンディショナー又は液状クレンジング用容器であるであることを特徴とする１〜５のいずれかに記載のディスペンサー装置。
【発明の効果】
【０００７】
１．本発明は、可撓性袋状容器、ポンプ装置、外容器の３部材を備えたディスペンサー装置であって、可撓性袋状容器の巾を外容器の内径よりも大きくすることにより、液の流路を確保し、内溶液の残量を少なくすることができるディスペンサー装置を実現できた。
可撓性袋状容器は、クレンジングなどの液体化粧料を充填した容器であって、途中で袋体が密着して、閉塞することなく使用し終わることができ、新しい容器をそのまま外容器に装着するだけで、更新することができる。
可撓性袋状容器は、縁部がヒートシールなどによってシールされた構造であり、空の状態では、縁部を外縁にして平になる方向に付勢された容器である。この容器は、液体を充填した状態で、ヒートシール縁を大径側とする膨らんだ状態になっている。この液体充填容器をそれよりも小さい径の外容器に収容するので、液体充填容器には複数の異方性のシワが生じて変形される。この状態の袋にポンプ動作によって内溶液を吸い出すと、減量し可撓性の袋の収縮に異方性の抵抗が発生し、可撓性袋の両面が密着して、吸い出せなくなる現象を防止することができる。このため、ポンプの注出管が底まで届かない短いものであっても、スムーズな排出ができ、吸い出し残量を僅少化することができる。可撓性袋状容器として、パウチが適している。
２．可撓性袋状容器とポンプ装置は別体型あるいは一体型とすることができる。可撓性袋状容器に取り付けるスパウトの外面に設けた雄ネジを使用して、ポンプ装置と外容器に着脱可能に螺着したので、簡単に使用することができる。
３．交換用可撓性袋状容器を使用しても、外容器によって姿勢を安定させることができる。
４．外容器の深さを可撓性袋状容器の長さと同寸法とするか、それよりも深くした場合は、パウチのつぶれ方がより美しいので、さらにコンパクトに捨てることが可能となる。
５．ポンプの注出管が短くても最後まで吸引できるので、省資源であり、コストを削減できる。
【図面の簡単な説明】
【０００８】
【図１】ディスペンサー容器セットの例を示す図
【図２】ディスペンサー容器の例を示す図
【図３】内部容器の使用状態を模式的に示す図
【図４】ポンプ付き可撓性袋状容器の例を示す図
【図５】ディスペンサー容器の組み立てを示す図
【図６】本発明の可撓性袋状容器の使用前後の状態を示す図
【図７】従来例のディスペンサー容器の例を示す図
【発明を実施するための形態】
【０００９】
本発明は、可撓性袋状容器、ポンプ装置、外容器の３部材を備えたディスペンサー装置である。可撓性袋状容器の巾を外容器の内径よりも大きくすることにより、液の流路を確保し、内溶液の残量を少なくすることができるディスペンサー装置である。外容器とポンプ装置は継続使用し、液体を充填した可撓性袋状容器を交換して使用する。あるいは、ポンプ付き可撓性袋状容器を交換することもできる。
可撓性袋状容器は、クレンジングなどの液体化粧料を充填した容器であって、途中で袋体が密着して、閉塞することなく使用し終わることができ、使い残しを無くし、新しい容器をそのまま外容器に装着するだけで、更新することができる。
可撓性袋状容器は、縁部がヒートシールなどによってシールされた構造のパウチが適している。
交換用パウチはそのままでは、自立することが難しく、パウチ立て具や外容器に収容して、自立性を持たせたものも提案されているが、ポンプを使って吸い出すと、対向しているフィルムが密着して、底部側の吸い出しが困難となることがあり、チューブを底まで延ばすなどの対応が取られている。
本発明では、ヒートシール縁を大径側とする膨らんだ状態になっているパウチ等をそれよりも小さい径の外容器に収容して、液体充填容器の内面に沿った形に変形して押し込まれている。この状態の袋にポンプ動作によって内溶液を吸い出すと、内溶液が減量し可撓性の袋の収縮に異方性の抵抗が発生し、可撓性袋の両面が密着して、吸い出せなくなる現象を防止することができる。このため、ポンプの注出管が底まで届かない短いものであっても、スムーズな排出ができ、吸い出し残量を僅少化することができる。
充填される液体としては、化粧水、乳液、クレンジング、シャンプー、コンディショナーなどの、液体からやや粘稠性の化粧料に適している。
【００１０】
ディスペンサー容器セットの例を図１に示す。これらを組み合わせたディスペンサー容器１０が図２に示されている。
パウチなどの可撓性袋状容器１、ポンプ装置２、外容器３から構成されている。
図１（ａ）に可撓性袋状容器１の例を示す。一般にパウチと称されているプラスチックフィルム製の容器が適している。容器の縁はシールされたシール部１４が形成され、上辺にはスパウト１３が設けられ、スパウト１３に蓋１２が螺着されている。液の充填、注出はスパウトを通して行われる。
液体を充填した状態では、横断面は、シール部を両サイドにして、大径部を形成するように膨らんでおり、この大径部の長さをＤ２’とし、シール部を含めた長さをＤ２とする。
プラスチックフィルムは、パウチ用として一般に用いられている積層タイプである。ガスバリア性などの機能を付与した複数の熱可塑性樹脂などを積層したフィルムシートをヒートシールして袋状の容器が形成される。パウチの形状は、スタンディングタイプ、ガゼットタイプ、３方シールタイプが典型的である。スタンディングタイプは底面が広く形成されていて、自立できる。ガゼットタイプは、両側方にマチを設けている。３方シールは、底辺をＶ形ヒートシールしている。
パウチの上辺にはスパウト１３が設けられている。このスパウト１３から内溶液が充填され、蓋１２で密閉される。
【００１１】
ポンプ装置２の例を図１（ｂ）に示す。
本発明に用いられるポンプ装置２は、液体を排出する方向にのみ機能し、吸気しない構造の排出ポンプである。この排出一方向ポンプを用いることにより、可撓性袋状容器は漸次収縮し、内溶液剤の注出を行うことができる。また、吸気して容器が復元するタイプのポンプを用いた場合には、ディップチューブなどを設けて常に底から吸引する必要があり、吸気された空気に触れた内溶液が酸化などによって変質する可能性がある。特に、防腐剤など刺激物質濃度を押さえた内溶液の場合は、細菌による汚染が発生する可能性があるので好ましくない。
ポンプ装置２は、上部にヘッド２１、下方に注出管２３を備え、中間にポンプキャップ２２が設けられている。ポンプキャップ２２はスパウトと結合する関係にある。
【００１２】
外容器３の例を図１（ｃ）（ｄ）に示す。
外容器３は外容器本体３２と外蓋３１から構成されている。外蓋３１の中央には、外蓋開口部３３が設けられている。外容器本体３２は、基本的に略円筒形であり、内寸径Ｄ１である。外容器本体の径は「Ｄ１＜Ｄ２」の関係に設定され、可撓性袋状容器１を収容できる容積を備えている。外蓋開口部３３からスパウトを引き出して、ポンプ装置と結合することにより、一体化されたディスペンサー容器１０が形成される。
外容器本体の形状は、最大の内径Ｄ１が、可撓性袋状容器の大径部のＤ２との関係が、「Ｄ１＜Ｄ２」の関係になるように設定されている。より好ましくは、「Ｄ１＜Ｄ２’」である。具体的な、外容器本体の形状は、可撓性袋状容器が外容器本体にセットされたときに、縦方向にひだが形成された状態となる円形、楕円形、多角形、持ちやすいようにくびれを設けた異形などが可能である。
【００１３】
ディスペンサー容器１０の例を図２に示す。
外蓋３１の外蓋開口部３３から可撓性袋状容器１のスパウト１３を引き出して、ポンプ装置２の注出管２３をスパウト１３から挿入し、ポンプキャップ２２とスパウト１３を結合し、袋本体１１を外容器本体３２に収容し、外蓋３１と外容器本体３２を結合して、ディスペンサー容器１０を一体に構成する。
スパウト１３の基部側が外蓋開口部から抜け出ないような大きさに形成され、ポンプキャップ２２の外形が外蓋の開口部３３よりも大きな関係になるなどの構成によって、外蓋３１はポンプキャップ２２と可撓性袋状容器１に挟持されることとなる。あるいは、外蓋開口部３３にスパウト１３と螺合などの係合する構造を設けることにより、一体化することもできる。
ポンプキャップ２２とスパウトの蓋とは基本的に同じ螺合関係などの係合関係に設定される。ただし、ポンプキャップ２２の外形は、外蓋の開口部との関係や、使用勝手、意匠性で変更される。
組み付けられたディスペンサーの断面が図２に示されているが、Ｄ２の外形を持った袋本体は、Ｄ２よりも小さなＤ１の内径を備えた外容器に変形されて、少なくとも横方向に押し込められた状態となっている。
したがって、ポンプ装置で吸引されて、内溶液剤が減っていく過程で、袋本体の収縮抵抗に異方性が発生し、シワとなり、両面のプラスチックシートが平に密着することがなく、吸引径路が確保されることとなり、注出管２３の下端が袋本体１１の中間にあっても、全量を吸い出すことができ、無駄なく使用することができる。
【００１４】
模式的な使用状態を図３に示し、使用前後状態を図６に示す。
ポンプ装置を使用して、内溶液を吸い出すと、固いシール部が変形に対して抵抗が大きいので、シール部が残るように収縮し、縦方向にひだが形成される。その結果、図示の例では十字の断面形状に収縮し、シール部の基部に広がりが発生して、隙間が形成され、注出管２３の下部に連続する空間が残ることとなる。ひだは十字よりも多くなることもあるが、シール部が上辺と下辺及び縦方向に存在し、変形抵抗になるので、縦方向にひだが形成され、縦方向に空間も発生することとなる。
【００１５】
仮に、Ｄ１＞Ｄ２の関係になるような外容器に収容すると、図１（ａ）の下段側に示されるように膨らんだ状態で、ひだを生じることなく袋状容器の収縮が進むので、フィルムが小径方向に接近して、やがて密着して下の方に溜まった液を吸い出すことが困難になる。
【００１６】
図４にポンプ付き可撓性袋状容器６の例を示す。
縁をシール部１４でシールした袋本体１１のスパウト６３にポンプ装置を装着した状態で、ポンプ付き可撓性袋状容器６を形成する。ポンプキャップ６２とスパウト６３を螺着するなどして結合するか、あるいは、ポンプとスパウトは別の手段で結合するかは任意の手段である。
図示の例では、スパウト６３の基部にはリング６５が形成されており、このリング６５が外蓋開口部の周囲の下面側に当接し、ポンプキャップ６２を外蓋開口部の周囲の上面に当接して、挟持する構成となっている。この場合、ポンプキャップ６２をはずした状態で、ポンプのヘッドを、外蓋開口部を通過させて、ポンプキャップを締めて接合することとする。
【００１７】
図５にディスペンサー容器１０の組み立て手順の例を示す。
図５（ａ）に内溶液を充填した可撓性袋状容器１が示されている。可撓性袋状容器１は蓋１２で密閉されている。蓋１２の下方で、スパウト１３の基部にはリング１５が設けられている。図５（ｂ）において、蓋１２をはずし、外蓋３１とポンプ装置２を用意する。図５（ｃ）において、スパウト１３を外蓋開口部３３から抜き出してリング１５を外蓋の内面に当接させ、ポンプの注出管２３を挿入する。ポンプキャップ２２とスパウト１３を螺合させて、ポンプキャップ２２の下端を外蓋３１の上面に当接させる。この状態で、袋本体１１の大径の巾Ｄ２よりも小さな径Ｄ１を備えた外容器に収容する。収容して、外容器本体３２と外蓋３１を結合した状態を図５（ｄ）に示す。
袋本体１１は外容器本体３２に少なくとも縦方向にひだが形成されて収容されており、ポンプの注出管２３の下端は、袋本体の中間まで届く長さで十分である。
【００１８】
＜注出試験＞
充填液３５０ｍｌのパウチと外容器を組み合わせたディスペンサー容器について、注出試験を行い、ポンプ装置を使用して注出終了時の残量とパウチのつぶれ方について、評価試験した。試験結果を表１に示す。
充填液：オイルクレンジング液  ３５０ｍｌ
パウチ：未充填時巾１１５ｍｍ（左右のシール部巾５ｍｍを含む）、製品全長１７５ｍ          ｍ
充填時巾（Ｄ２）８９ｍｍ（左右のシール部巾５ｍｍを含む）、充填部液面長          さ１４５ｍｍ
ポンプ注出管長：８８ｍｍ、１０６ｍｍ
外容器：内径（Ｄ１）：６９ｍｍ、８９ｍｍ、１０９ｍｍ
針金スタンド式支持具：スパウト部を吊って袋部を宙づり状態に保持した例
【００１９】
【表１】
2017145011.tif 000003
【００２０】
試験結果
パウチの充填時巾が外容器の内径よりも大きな試験例１、２、６、７は、注出残量が６ｇ以下となり、ほぼ全量を注出することができた。パウチの収縮は、縦方向にシワが発生して、小さくまとまりのある状態となった。パウチの底部が容器に接触する長さの容器１、６は、長い容器である２、７に比べて、短くなるようにつぶれ、長い容器２、７では、横シワが少なく縦にきれいに収縮した。
外容器内径が、パウチの充填時巾よりも大きくなると、内溶液が底部に残った状態でパウチのフィルムが水平方向に密着する部分が発生してしまい、ポンプ装置で吸い出すことができず、３０ｇ以上の残量が発生することとなった。特に、袋部が自由に吊ったスタンド式では、約１００ｇ以上残る結果となった。中途で注出不能となった状態は、従来例を示す図７と同様の状態である。
なお、外容器の内径が５９ｍｍでも可撓性袋状容器が途中で密着することなく、最後まで抽出することができている。
【符号の説明】
【００２１】
１・・・可撓性袋状容器
１１・・・袋本体
１２・・・蓋
１３・・・スパウト
１４・・・シール部
１５・・・リング
２・・・ポンプ装置
２１・・・ヘッド
２２・・・ポンプキャップ
２３・・注出管
３・・・外容器
３１・・・外蓋
３２・・・外容器本体
３３・・・外蓋開口部
３４・・・外容器本体雄ネジ
４・・・内溶液（充填液）
５・・・隙間
６・・・ポンプ付き可撓性袋状容器
６１・・・ヘッド
６２・・・ポンプキャップ
６３・・・スパウト
６５・・・リング
１０・・ディスペンサー容器
【図１】
2017145011.tif 000004
【図２】
2017145011.tif 000005
【図３】
2017145011.tif 000006
【図４】
2017145011.tif 000007
【図５】
2017145011.tif 000008
【図６】
2017145011.tif 000009
【図７】
2017145011.tif 000010